(57)【特許請求の範囲】
【請求項１】
ＴＡＧ（Timing  Advance  Group：タイミングアドバンスグループ）の再設定後のアップリンク干渉を回避する方法であって、
端末は、セカンダリセルの属するＴＡＧを再設定するステップと、
前記端末が前記セカンダリセルのＴＡＧの再設定を完了した後、現在のＴＡＧが新しいＴＡＧであり、且つ前記セカンダリセルで伝送待ちの非周期的なチャネルサウンディング参照信号を有する場合、前記端末は、前記セカンダリセルにおける非周期的なチャネルサウンディング参照信号の伝送をキャンセルするステップと、を含む、方法。
【請求項２】
前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の伝送を停止し、及び／又は前記セカンダリセルにおけるアップリンク非適応再送を停止する、請求項１に記載の方法。
【請求項３】
前記端末が前記セカンダリセルのＴＡＧの再設定を完了した後、現在のＴＡＧが新しいＴＡＧである場合、前記端末は、全てのアップリンクハイブリッド自動再送要求のフィードバックフラグをそのまま維持し、前記セカンダリセルにおけるアップリンク非適応再送を停止し、前記端末が前記新しいＴＡＧのタイミングアドバンス値を受信した後、前記端末は、前記セカンダリセルにおけるアップリンク非適応再送を再開する、請求項２に記載の方法。
【請求項４】
前記端末が前記セカンダリセルのＴＡＧの再設定を完了した後、現在のＴＡＧが新しいＴＡＧである場合、端末は、全てのアップリンクハイブリッド自動再送要求のフィードバックフラグを送信成功と設定する、請求項２に記載の方法。
【請求項５】
前記端末が前記新しいＴＡＧのタイミングアドバンス値を受信した後、前記端末は、前記セカンダリセルにおける周期的なチャネルサウンディング参照信号の伝送を再開する、請求項２に記載の方法。
【請求項６】
前記端末のＲＲＣ（Radio  Resource  Control：無線リソース制御）層は、前記セカンダリセルに対して前記ＴＡＧの再設定を行い、前記再設定されたセカンダリセルの属するＴＡＧのＴＡＧインデックス及び該ＴＡＧに用いられるタイミングアドバンスタイマーをＭＡＣ（Media  Access  Control：メディアアクセス制御）層に通知し、前記端末のＭＡＣ層は、現在のＴＡＧが新しいＴＡＧであるか否かを判断し、新しいＴＡＧである場合、前記端末は、前記セカンダリセルにおける周期的なチャネルサウンディング参照信号の伝送を停止し、及び／又は前記セカンダリセルにおける非周期的なチャネルサウンディング参照信号の伝送をキャンセルし、及び／又は前記セカンダリセルにおけるアップリンク非適応再送を停止する、請求項１に記載の方法。
【請求項７】
ＴＡＧ（Timing  Advance  Group：タイミングアドバンスグループ）の再設定後のアップリンク干渉を回避する方法であって、
端末は、セカンダリセルの属するＴＡＧを再設定するステップと、
前記端末が前記セカンダリセルのＴＡＧの再設定を完了した後、現在のＴＡＧが新しいＴＡＧであり、且つ前記セカンダリセルで伝送待ちの非周期的なチャネルサウンディング参照信号を有する場合、前記端末は、前記セカンダリセルにおける非周期的なチャネルサウンディング参照信号の伝送をキャンセルするステップと、を含む、方法。
【請求項８】
前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の設定を解除し（releasing）、及び／又は前記セカンダリセルにおけるアップリンク非適応再送を停止する、請求項７に記載の方法。
【請求項９】
前記端末が前記セカンダリセルのＴＡＧの再設定を完了した後、現在のＴＡＧが新しいＴＡＧである場合、前記端末は、全てのアップリンクハイブリッド自動再送要求のフィードバックフラグをそのまま維持し、前記セカンダリセルにおけるアップリンク非適応再送を停止し、前記端末が前記新しいＴＡＧのタイミングアドバンス値を受信した後、前記端末は、前記セカンダリセルにおけるアップリンク非適応再送を再開する、請求項８に記載の方法。
【請求項１０】
前記端末が前記セカンダリセルのＴＡＧの再設定を完了した後、現在のＴＡＧが新しいＴＡＧである場合、端末は、全てのアップリンクハイブリッド自動再送要求のフィードバックフラグを送信成功と設定する、請求項８に記載の方法。
【請求項１１】
前記端末のＲＲＣ（Radio  Resource  Control：無線リソース制御）層は、前記セカンダリセルに対して前記ＴＡＧの再設定を行い、前記再設定されたセカンダリセルの属するＴＡＧのＴＡＧインデックス及び該ＴＡＧに用いられるタイミングアドバンスタイマーを前記端末のＭＡＣ（Media  Access  Control：メディアアクセス制御）層に通知し、前記端末のＲＲＣ層は、現在のＴＡＧが新しいＴＡＧであるか否かを判断し、新しいＴＡＧである場合、前記端末は、周期的なチャネルサウンディング参照信号の設定を解除し、前記端末のＭＡＣ層は、現在のＴＡＧが新しいＴＡＧであるか否かを判断し、新しいＴＡＧである場合、前記端末は、前記セカンダリセルにおける非周期的なチャネルサウンディング参照信号の伝送をキャンセルし、及び／又は前記セカンダリセルにおけるアップリンク非適応再送を停止する、請求項７に記載の方法。
【請求項１２】
ＴＡＧ（Timing  Advance  Group：タイミングアドバンスグループ）の再設定後のアップリンク干渉を回避する方法であって、
端末は、セカンダリセルの属するＴＡＧを再設定するステップと、
前記端末が前記セカンダリセルのＴＡＧの再設定を完了した後、現在のＴＡＧが新しいＴＡＧであり、且つ前記セカンダリセルで伝送待ちの非周期的なチャネルサウンディング参照信号を有する場合、前記端末は、前記セカンダリセルにおける非周期的なチャネルサウンディング参照信号の伝送をキャンセルするステップと、を含む、方法。
【請求項１３】
前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の伝送を停止し、及び／又は前記セカンダリセルに対応する全てのアップリンクハイブリッド自動再送要求のバッファをフラッシュする（flushing）、請求項１２に記載の方法。
【請求項１４】
前記端末が前記新しいＴＡＧのタイミングアドバンス値を受信した後、前記端末は、前記セカンダリセルにおける周期的なチャネルサウンディング参照信号の伝送を再開する、請求項１３に記載の方法。
【請求項１５】
前記端末のＲＲＣ（Radio  Resource  Control：無線リソース制御）層は、前記セカンダリセルに対して前記ＴＡＧの再設定を行い、現在のＴＡＧのＴＡＧインデックス及び該ＴＡＧに用いられるタイミングアドバンスタイマーをＭＡＣ（Media  Access  Control：メディアアクセス制御）層に通知し、前記端末のＭＡＣ層は、現在のＴＡＧが新しいＴＡＧであるか否かを判断し、新しいＴＡＧである場合、前記端末は、前記セカンダリセルにおける周期的なチャネルサウンディング参照信号の伝送を停止し、及び／又は前記セカンダリセルにおける非周期的なチャネルサウンディング参照信号の伝送をキャンセルし、及び／又は前記セカンダリセルに対応する全てのアップリンクハイブリッド自動再送要求のバッファをフラッシュする、請求項１２に記載の方法。
【請求項１６】
ＴＡＧ（Timing  Advance  Group：タイミングアドバンスグループ）の再設定後のアップリンク干渉を回避する方法であって、
端末は、セカンダリセルの属するＴＡＧを再設定するステップと、
前記端末が前記セカンダリセルのＴＡＧの再設定を完了した後、現在のＴＡＧが新しいＴＡＧであり、且つ前記セカンダリセルで伝送待ちの非周期的なチャネルサウンディング参照信号を有する場合、前記端末は、前記セカンダリセルにおける非周期的なチャネルサウンディング参照信号の伝送をキャンセルするステップと、を含む、方法。
【請求項１７】
前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の設定を解除し（releasing）、及び／又は前記セカンダリセルに対応する全てのアップリンクハイブリッド自動再送要求のバッファをフラッシュする（flushing）、請求項１６に記載の方法。
【請求項１８】
前記端末のＲＲＣ（Radio  Resource  Control：無線リソース制御）層は、前記セカンダリセルに対して前記ＴＡＧの再設定を行い、現在のＴＡＧのＴＡＧインデックス及び該ＴＡＧに用いられるタイミングアドバンスタイマーをＭＡＣ（Media  Access  Control：メディアアクセス制御）層に通知し、前記端末のＲＲＣ層は、現在のＴＡＧが新しいＴＡＧであるか否かを判断し、新しいＴＡＧである場合、前記端末は、前記セカンダリセルにおける周期的なチャネルサウンディング参照信号の設定を解除し、前記端末のＭＡＣ層は、現在のＴＡＧが新しいＴＡＧであるか否かを判断し、新しいＴＡＧである場合、前記端末は、前記セカンダリセルにおける非周期的なチャネルサウンディング参照信号の伝送をキャンセルし、及び／又は前記セカンダリセルに対応する全てのアップリンクハイブリッド自動再送要求のバッファをフラッシュする、請求項１６に記載の方法。
【請求項１９】
ＴＡＧ（Timing  Advance  Group：タイミングアドバンスグループ）の再設定後のアップリンク干渉を回避する装置であって、
セカンダリセルの属するＴＡＧを再設定するＴＡＧ再設定手段と、
再設定されたＴＡＧが新しいＴＡＧであるか否かを判断し、新しいＴＡＧである場合、実行手段に通知する判断手段と、
前記判断手段により送信された通知に基づいて、端末による前記セカンダリセルにおける非周期的なチャネルサウンディング参照信号の伝送をキャンセルする前記実行手段と、を含む、装置。
【請求項２０】
前記実行手段は、前記判断手段により送信された通知に基づいて、前記端末による前記セカンダリセルにおける周期的なチャネルサウンディング参照信号の伝送を停止し、及び／又は前記端末による前記セカンダリセルにおけるアップリンク非適応再送を停止する、請求項１９に記載の装置。
【請求項２１】
前記端末が前記新しいＴＡＧのタイミングアドバンス値を受信した後、前記実行手段に前記端末による前記セカンダリセルにおける周期的なチャネルサウンディング参照信号の伝送を再開させ、及び／又は前記端末による前記セカンダリセルにおけるアップリンク非適応再送を再開させるように通知する通知手段をさらに含む、請求項２０に記載の装置。
【請求項２２】
ＴＡＧ（Timing  Advance  Group：タイミングアドバンスグループ）の再設定後のアップリンク干渉を回避する装置であって、
セカンダリセルの属するＴＡＧを再設定するＴＡＧ再設定手段と、
再設定されたＴＡＧが新しいＴＡＧであるか否かを判断し、新しいＴＡＧである場合、実行手段に通知する判断手段と、
前記判断手段により送信された通知に基づいて、端末による前記セカンダリセルにおける非周期的なチャネルサウンディング参照信号の伝送をキャンセルする前記実行手段と、を含む、装置。
【請求項２３】
前記実行手段は、前記判断手段により送信された通知に基づいて、前記端末による前記セカンダリセルにおける周期的なチャネルサウンディング参照信号の設定を解除し（releasing）、及び／又は前記端末による前記セカンダリセルにおけるアップリンク非適応再送を停止する、請求項２２に記載の装置。
【請求項２４】
前記実行手段が全てのアップリンクハイブリッド自動再送要求のフィードバックフラグをそのまま維持し、前記端末による前記セカンダリセルにおけるアップリンク非適応再送を停止する場合、前記装置は、前記端末が前記新しいＴＡＧのタイミングアドバンス値を受信した後、前記実行手段に前記セカンダリセルにおけるアップリンク非適応再送を再開させるように通知する通知手段をさらに含む、請求項２３に記載の装置。
【請求項２５】
ＴＡＧ（Timing  Advance  Group：タイミングアドバンスグループ）の再設定後のアップリンク干渉を回避する装置であって、
セカンダリセルの属するＴＡＧを再設定するＴＡＧ再設定手段と、
再設定されたＴＡＧが新しいＴＡＧであるか否かを判断し、新しいＴＡＧである場合、実行手段に通知する判断手段と、
前記判断手段により送信された通知に基づいて、端末による前記セカンダリセルにおける非周期的なチャネルサウンディング参照信号の伝送をキャンセルする前記実行手段と、を含む、装置。
【請求項２６】
前記実行手段は、前記判断手段により送信された通知に基づいて、前記端末による前記セカンダリセルにおける周期的なチャネルサウンディング参照信号の伝送を停止し、及び／又は前記端末の前記セカンダリセルに対応する全てのアップリンクハイブリッド自動再送要求のバッファをフラッシュする（flushing）、請求項２５に記載の装置。
【請求項２７】
前記端末が前記新しいＴＡＧのタイミングアドバンス値を受信した後、前記実行手段に前記セカンダリセルにおける周期的なチャネルサウンディング参照信号の伝送を再開させるように通知する通知手段をさらに含む、請求項２６に記載の装置。
【請求項２８】
ＴＡＧ（Timing  Advance  Group：タイミングアドバンスグループ）の再設定後のアップリンク干渉を回避する装置であって、
セカンダリセルの属するＴＡＧを再設定するＴＡＧ再設定手段と、
再設定されたＴＡＧが新しいＴＡＧであるか否かを判断し、新しいＴＡＧである場合、実行手段に通知する判断手段と、
前記判断手段により送信された通知に基づいて、端末による前記セカンダリセルにおける非周期的なチャネルサウンディング参照信号の伝送をキャンセルする前記実行手段と、を含む、装置。
【請求項２９】
前記実行手段は、前記判断手段により送信された通知に基づいて、前記端末による前記セカンダリセルにおける周期的なチャネルサウンディング参照信号の設定を解除し（releasing）、及び／又は前記端末の前記セカンダリセルに対応する全てのアップリンクハイブリッド自動再送要求のバッファをフラッシュする（flushing）、請求項２８に記載の装置。
【発明の詳細な説明】
【技術分野】
【０００１】
本発明は、通信分野に関し、特にＴＡＧの再設定後のアップリンク干渉を回避する方法及び装置に関する。
【背景技術】
【０００２】
強化された長期進化（LTE-A：LTE-Advanced）システムのRel-10では、端末により高い伝送レートを提供するために、キャリアアグリゲーション技術が導入され、キャリアアグリゲーション技術の５つの設定シナリオが定義されている。しかし、REL-10では、アップリンクについて、バンド（帯域）内のキャリアアグリゲーションのみがサポートされている。また、シナリオ４及びシナリオ４、即ち異なるキャリアのアップリンク信号の受信局が異なるシナリオについて、アップリンクのキャリアアグリゲーション技術がサポートされていない。LTE-AのRel-11では、キャリアアグリゲーション技術がさらに強化され、例えばアップリンクが強化され、異なるバンド内のキャリアアグリゲーションでもサポートされ、シナリオ４及びシナリオ５でもアップリンクのキャリアアグリゲーションがサポートされている。
【０００３】
端末により設定されたセカンダリセルのアップリンク信号のタイミングアドバンスと該セカンダリセルが現在に所属するタイミングアドバンスグループ（TAG：Timing  Advance  Group）のタイミングアドバンスとは異なる場合、該セカンダリセルを正しいＴＡＧに再設定する必要がある。図１は、再設定する必要があるＴＡＧを示す図であり、図１において、基地局（eNB）は、端末についてプライマリセルｆ１、セカンダリセルｆ２を設定し、これらは同一のバンドに属する。
【０００４】
第１のケースでは、Ｔ１時刻において端末がＡ点に位置し、この際にセカンダリセル（Scell）及びプライマリセル（Pcell）の受信局は共にeNBであり、同一のＴＡＧに属し、pTAG（即ちPCellが属するＴＡＧ）と定義される。Ｔ２時刻において、端末は中継装置（repeater）によりカバーされた範囲内（例えばＢ点）に移動し、この際に、セカンダリセルにおけるアップリンク信号の受信局はrepeaterとなり、プライマリセルの受信局と異なっている。よって、セカンダリセルは、プライマリセルと共に同一のＴＡＧに属するに適しておらず、該セカンダリセルを新しいＴＡＧに再設定する必要があり、このＴＡＧをsTAG（SCellのみのＴＡＧ）と定義される。
【０００５】
第２のケースでは、第１のケースと異なって、端末はrepeaterによりカバーされた範囲からeNBによりカバーされた範囲に移動する。このケースでは、端末のセカンダリセルをsTAGからpTAGに再設定する必要がある。
【０００６】
上記第２のケースでは、セカンダリセルをpTAGに再設定した後で、pTAGのタイミングアドバンス（TA）値が既知であるため、再設定のプロセスが完了した後で、端末は直ちにセカンダリセルにおいてアップリンク信号を送信できる。第１のケースでは、セカンダリセルを新しいsTAGに再設定した後で、新しいsTAGのアップリンクTA値が未知であるため、再設定のプロセスが完了した後で、端末は該セカンダリセルにおいてランダムアクセスプロセスを実行して該sTAGの初期のTA値を取得する必要がある。しかし、端末は該sTAGのTA値を取得する際に、端末はScellにおいてpTAGのTA値に基づいてアップリンク信号を送信すると、該TA値により該端末のアップリンク信号が中継装置（repeater）に到達する時間と他の端末の到達時間とが同期することを確保できないため、他の端末との相互干渉が生じる可能性がある。
【０００７】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００８】
本発明の実施例は、従来技術の端末がＴＡＧ再設定を行った後で、古いＴＡ値を用いて新しいアップリンクアクセスポイントとアップリンク通信を行う際に、アップリンク信号のアップリンクアクセスポイントに到達する時間との他の端末と同期していないことによる干渉を解決できる、ＴＡＧの再設定後のアップリンク干渉を回避する方法及び装置を提供することを目的とする。
【課題を解決するための手段】
【０００９】
本発明の実施例の一の態様では、ＴＡＧ（Timing  Advance  Group：タイミングアドバンスグループ）の再設定後のアップリンク干渉を回避する方法であって、端末は、セカンダリセルの属するＴＡＧを再設定するステップと、前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の伝送を停止し、及び／又は前記セカンダリセルにおけるアップリンク非適応再送を停止するステップと、を含む、方法を提供する。
【００１０】
本発明の実施例の他の態様では、ＴＡＧ（Timing  Advance  Group：タイミングアドバンスグループ）の再設定後のアップリンク干渉を回避する方法であって、端末は、セカンダリセルの属するＴＡＧを再設定するステップと、前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の設定を解除し（releasing）、及び／又は前記セカンダリセルにおけるアップリンク非適応再送を停止するステップと、を含む、方法を提供する。
【００１１】
本発明の実施例の他の態様では、ＴＡＧ（Timing  Advance  Group：タイミングアドバンスグループ）の再設定後のアップリンク干渉を回避する方法であって、端末は、セカンダリセルの属するＴＡＧを再設定するステップと、前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の伝送を停止し、及び／又は前記セカンダリセルに対応する全てのアップリンクハイブリッド自動再送要求のバッファをフラッシュする（flushing）ステップと、を含む、方法を提供する。
【００１２】
本発明の実施例の他の態様では、ＴＡＧ（Timing  Advance  Group：タイミングアドバンスグループ）の再設定後のアップリンク干渉を回避する方法であって、端末は、セカンダリセルの属するＴＡＧを再設定するステップと、前記端末が前記セカンダリセルのＴＡＧの再設定を完了した後、現在のＴＡＧが新しいＴＡＧである場合、前記端末は、前記セカンダリセルにおける周期的なチャネルサウンディング参照信号の設定を解除し（releasing）、及び／又は前記セカンダリセルに対応する全てのアップリンクハイブリッド自動再送要求のバッファをフラッシュする（flushing）ステップと、を含む、方法を提供する。
【００１３】
本発明の実施例の他の態様では、ＴＡＧ（Timing  Advance  Group：タイミングアドバンスグループ）の再設定後のアップリンク干渉を回避する装置であって、セカンダリセルの属するＴＡＧを再設定するＴＡＧ再設定手段と、再設定されたＴＡＧが新しいＴＡＧであるか否かを判断し、新しいＴＡＧである場合、実行手段に通知する判断手段と、前記判断手段により送信された通知に基づいて、端末による前記セカンダリセルにおける周期的なチャネルサウンディング参照信号の伝送を停止し、及び／又は前記端末による前記セカンダリセルにおけるアップリンク非適応再送を停止する前記実行手段と、を含む、装置を提供する。
【００１４】
本発明の実施例の他の態様では、ＴＡＧ（Timing  Advance  Group：タイミングアドバンスグループ）の再設定後のアップリンク干渉を回避する装置であって、セカンダリセルの属するＴＡＧを再設定するＴＡＧ再設定手段と、再設定されたＴＡＧが新しいＴＡＧであるか否かを判断し、新しいＴＡＧである場合、実行手段に通知する判断手段と、前記判断手段により送信された通知に基づいて、前記端末による前記セカンダリセルにおける周期的なチャネルサウンディング参照信号の設定を解除し（releasing）、及び／又は前記端末による前記セカンダリセルにおけるアップリンク非適応再送を停止する前記実行手段と、を含む、装置を提供する。
【００１５】
本発明の実施例の他の態様では、ＴＡＧ（Timing  Advance  Group：タイミングアドバンスグループ）の再設定後のアップリンク干渉を回避する装置であって、セカンダリセルの属するＴＡＧを再設定するＴＡＧ再設定手段と、再設定されたＴＡＧが新しいＴＡＧであるか否かを判断し、新しいＴＡＧである場合、実行手段に通知する判断手段と、前記判断手段により送信された通知に基づいて、前記端末による前記セカンダリセルにおける周期的なチャネルサウンディング参照信号の伝送を停止し、及び／又は前記端末の前記セカンダリセルに対応する全てのアップリンクハイブリッド自動再送要求のバッファをフラッシュする（flushing）前記実行手段と、を含む、装置を提供する。
【００１６】
本発明の実施例の他の態様では、ＴＡＧ（Timing  Advance  Group：タイミングアドバンスグループ）の再設定後のアップリンク干渉を回避する装置であって、セカンダリセルの属するＴＡＧを再設定するＴＡＧ再設定手段と、再設定されたＴＡＧが新しいＴＡＧであるか否かを判断し、新しいＴＡＧである場合、実行手段に通知する判断手段と、前記判断手段により送信された通知に基づいて、前記端末による前記セカンダリセルにおける周期的なチャネルサウンディング参照信号の設定を解除し（releasing）、及び／又は前記端末の前記セカンダリセルに対応する全てのアップリンクハイブリッド自動再送要求のバッファをフラッシュする（flushing）前記実行手段と、を含む、装置を提供する。
【００１７】
本発明の実施例の有益な効果としては、端末がＴＡＧ再設定を行った後でＴＡ値を更新していない場合、古いＴＡ値を用いて新しいＴＡＧのアクセスポイントと通信を行うことによる他の端末との干渉を回避できる。
【００１８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２０】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００２１】
ここで説明されている図面は、本発明を理解させるためのものであり、本願の一部を構成するものであるが、本発明を限定するものではない。
【図１】再設定する必要があるＴＡＧを示す図である。
【図２】本発明の実施例に係る端末がpTAGから新しいsTAGに再設定し、TA値を取得する方法のフローチャートである。
【図３】本発明の実施例に係るＴＡＧの再設定後のアップリンク干渉を回避する方法のフローチャートである。
【図４】本発明の実施例に係るＴＡＧの再設定後のアップリンク干渉を回避する方法の詳細のフローチャートである。
【図５】本発明の実施例に係るＴＡＧの再設定後のアップリンク干渉を回避する方法のフローチャートである。
【図６】本発明の実施例に係るＴＡＧの再設定後のアップリンク干渉を回避する方法の詳細のフローチャートである。
【図７】本発明の実施例に係るＴＡＧの再設定後のアップリンク干渉を回避する方法のフローチャートである。
【図８】本発明の実施例に係るＴＡＧの再設定後のアップリンク干渉を回避する方法の詳細のフローチャートである。
【図９】本発明の実施例に係るＴＡＧの再設定後のアップリンク干渉を回避する方法のフローチャートである。
【図１０】本発明の実施例に係るＴＡＧの再設定後のアップリンク干渉を回避する方法の詳細のフローチャートである。
【図１１】本発明の実施例に係るＴＡＧの再設定後のアップリンク干渉を回避する装置の構成を示す図である。
【図１２】本発明の実施例に係るＴＡＧの再設定後のアップリンク干渉を回避する装置の構成を示す図である。
【図１３】本発明の実施例に係るＴＡＧの再設定後のアップリンク干渉を回避する装置の構成を示す図である。
【図１４】本発明の実施例に係るＴＡＧの再設定後のアップリンク干渉を回避する装置の構成を示す図である。
【発明を実施するための形態】
【００２２】
以下は、本発明の目的、技術手段及び利点をより明確にするため、図面を参照しながら、本発明の具体的な実施例を詳細に説明する。ここで、本発明の例示的な実施例及びその説明は、本発明を解釈するものであり、本発明を限定するものではない。
【００２３】
＜実施例１＞
図２は、本発明の実施例に係る端末がpTAGから新しいsTAGに再設定し、TA値を取得する方法のフローチャートである。
【００２４】
本実施例は、図１における第２のケースに適用でき、キャリアアグリゲーションのシナリオ２及びシナリオ３にも適用できる。シナリオ２及びシナリオ３において端末の複数のサービングセルに異なる帯域内のキャリアを設定する際に、２％〜３％の確率の場合、これらのサービングセルのアップリンクタイミングアドバンスが異なり、pTAGから新しいsTAGに再設定してＴＡ値を取得する動作を行う必要がある。
【００２５】
ステップ２０１：基地局は、端末のセカンダリセルがＴＡＧの再設定を行う必要があると判断した。基地局は、端末に無線リソース再設定シグナリングを送信する。端末は、該セカンダリセルのＴＡＧ再設定を実行する、即ち該セカンダリセルをpTAGからsTAGに再設定する。再設定を完了した時間点をT1と標記する。
【００２６】
ステップ２０２：端末は、基地局に、再設定が完了したというメッセージを返す。
【００２７】
ステップ２０３：基地局は、端末に物理ダウンリンク制御チャネル命令（PDCCH  order）を送信し、端末が該セカンダリセルにおいてランダムアクセスプロセスを開始するようにトリガする。
【００２８】
ステップ２０４：端末は、該セカンダリセルにおいてプリアンブル（Preamble）を送信する。
【００２９】
ステップ２０５：基地局は、端末に該セカンダリセルについての応答（RAR）を返す。該応答にＴＡ値が含まれる。この際に、端末が新しいＴＡＧのＴＡ値を受信した時間をＴ２と標記する。
【００３０】
上記ステップ２０１〜２０５によりＴＡ値を取得するが、ＴＡ命令メディアアクセス制御層制御ユニット（TA  command  MAC  CE）からＴＡ値を取得してもよい。
【００３１】
＜実施例２＞
図３は、本発明の実施例に係るＴＡＧ（Timing  Advance  Group：タイミングアドバンスグループ）の再設定後のアップリンク干渉を回避する方法のフローチャートである。
【００３２】
ステップ３０１：端末は、セカンダリセルの属するＴＡＧを再設定する。
【００３３】
ステップ３０２：該端末が該セカンダリセルのＴＡＧの再設定を完了した後、現在のＴＡＧが新しいＴＡＧである場合、該端末は、該セカンダリセルにおける周期的なチャネルサウンディング参照信号（Type-0  SRS）の伝送を停止し、及び／又は該セカンダリセルにおけるアップリンク非適応再送を停止する。
【００３４】
ステップ３０２において、該セカンダリセルが伝送待ちの非周期的なチャネルサウンディング参照信号を有する場合、端末は、該セカンダリセルにおける非周期的なチャネルサウンディング参照信号（Type-1  SRS）の伝送をキャンセルする。
【００３５】
ステップ３０２の後、端末が新しいＴＡＧのタイミングアドバンス値を受信した後、即ち例えば図２における時間点Ｔ２において、該端末は、該セカンダリセルにおけるType-0  SRSの伝送を再開し、及び／又は該セカンダリセルにおけるアップリンク非適応再送を再開してもよい。
【００３６】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【００３７】
＜実施例３＞
図４は、本発明の実施例に係るＴＡＧの再設定後のアップリンク干渉を回避する方法の詳細のフローチャートである。
【００３８】
ステップ４０１：セカンダリセルについて、端末のＲＲＣ（Radio  Resource  Control：無線リソース制御）層は、該セカンダリセルに対するＴＡＧの再設定を完了した後で、該セカンダリセルの属するＴＡＧのＴＡＧインデックス（TAG  index）及び該ＴＡＧに用いられるタイミングアドバンスタイマー（TAT）をＭＡＣ（Media  Access  Control：メディアアクセス制御）層に通知する。
【００３９】
ステップ４０２：ＭＡＣ層がＲＲＣ層からの該セカンダリセルのＴＡＧ再設定の通知を受信した後で、端末のＭＡＣ層は、該セカンダリセルについて新しいＴＡＧが再設定されたか否かを判断し、再設定されたＴＡＧが端末により維持されているＴＡＧと同じである、即ち再設定されたＴＡＧが新しいものではない場合、ステップ４０５に進み、再設定されたＴＡＧが新しいものである場合、ステップ４０３に進む。ここで、端末が他のＴＡＧを維持する場合、対応するＴＡ値が既知であるため、端末は該ＴＡ値を用いてアップリンク通信を行って他の端末との干渉を生じないことになる。
【００４０】
ステップ４０３：端末は、該セカンダリセルにおけるType-0  SRSの伝送を停止し、該セカンダリセルにおけるType-1  SRSの伝送をキャンセルし、該セカンダリセルにおけるアップリンク非適応再送を停止する。端末は、該セカンダリセルにどのアップリンク通信を行うことに応じて、上記３つの処理のうちいずれか１つ又は複数を行ってもよい。
【００４１】
ここで、端末は、該セカンダリセルにおけるアップリンク非適応再送を停止する際に、以下２つの方法のいずれか１つを用いてもよい。第１の方法では、該端末は、全てのアップリンクハイブリッド自動再送要求のフィードバックフラグをそのまま維持し（伝送成功のフラグ及び伝送失敗のフラグを含む場合がある）、該セカンダリセルにおけるアップリンク非適応再送を停止する。第２の方法では、端末は、該セカンダリセルにおけるアップリンク非適応再送を停止するように、アップリンクハイブリッド自動再送要求のフィードバックフラグを送信成功と設定する。
【００４２】
ステップ４０４：端末が前記新しいＴＡＧのタイミングアドバンス値を受信した後、例えば図２の実施例の方法でＴＡ値を受信した後、端末は、該セカンダリセルにおけるType-0  SRSの伝送を再開する、及び／又は該セカンダリセルにおけるアップリンク非適応再送を再開する（上記第１の方法に対応する）。上記２つの伝送の再開は、端末による該セカンダリセルにおいて行われたアップリンク通信に応じて決定される。
【００４３】
ステップ４０５：端末は、該サービングセルにおいて、既知のＴＡ値によりアップリンク通信を正常に行う。
【００４４】
＜実施例４＞
図５は、本発明の実施例に係るＴＡＧの再設定後のアップリンク干渉を回避する方法のフローチャートである。
【００４５】
ステップ５０１：端末は、セカンダリセルの属するＴＡＧを再設定する。
【００４６】
ステップ５０２：端末が該セカンダリセルのＴＡＧの再設定を完了した後、現在のＴＡＧが新しいＴＡＧである場合、該端末は、該セカンダリセルにおけるType-0  SRSの設定を解除し（releasing）、及び／又は該セカンダリセルにおけるアップリンク非適応再送を停止する。端末のType-0  SRSの設定を解除することで、端末はType-0  SRSのアップリンク通信を行うことができないことになる。
【００４７】
上記ステップ５０２において、該セカンダリセルが伝送待ちの非周期的なチャネルサウンディング参照信号を有する場合、端末は、該セカンダリセルにおけるType-1  SRSの伝送をキャンセルする。
【００４８】
ステップ５０２の後で、端末が新しいＴＡＧのＴＡ値を受信した後、即ち例えば図２における時間点Ｔ２において、該端末は、該セカンダリセルにおけるアップリンク非適応再送を再開してもよい。
【００４９】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【００５０】
＜実施例５＞
図６は、本発明の実施例に係るＴＡＧの再設定後のアップリンク干渉を回避する方法の詳細のフローチャートである。
【００５１】
ステップ６０１：セカンダリセルについて、端末のＲＲＣ層は、該セカンダリセルに対するＴＡＧの再設定を完了した後で、該セカンダリセルの属するＴＡＧのＴＡＧインデックス（TAG  index）及び該ＴＡＧに用いられるタイミングアドバンスタイマー（TAT）を端末のＭＡＣ層に通知する。
【００５２】
ステップ６０２：端末のＲＲＣ層は、該セカンダリセルについて新しいＴＡＧが再設定されたか否かを判断し、再設定されたＴＡＧが端末において維持された１つ又は複数のＴＡＧのうち１つのＴＡＧと同じである、即ち再設定されたＴＡＧが新しいＴＡＧではない場合、ステップ４０７に進み、再設定されたＴＡＧが新しいＴＡＧである場合、ステップ６０３に進む。
【００５３】
ステップ６０３：端末は、Type-0  SRSの設定を解除する。
【００５４】
ステップ６０４：ＭＡＣ層がＲＲＣ層からの該セカンダリセルのＴＡＧ再設定の通知を受信した後で、端末のＭＡＣ層は、該セカンダリセルについて新しいＴＡＧが再設定されたか否かを判断し、再設定されたＴＡＧが端末で維持されたＴＡＧと同じである、即ち現在再設定されたＴＡＧが新しいＴＡＧではない場合、ステップ６０７に進み、再設定されたＴＡＧが新しいＴＡＧである場合、ステップ６０５に進む。ここで、端末で維持された他のＴＡＧが存在する場合、対応するＴＡ値が既知であるため、端末は、他の端末との干渉が生じることなく、該ＴＡ値を用いてアップリンク通信を行うことができる。
【００５５】
ステップ６０５：端末は、該セカンダリセルにおけるType-1  SRSの伝送をキャンセルし、該セカンダリセルにおけるアップリンク非適応再送を停止する。
【００５６】
端末は、端末により該セカンダリセルにおいて行われたアップリンク通信に応じて、上記ステップ６０３、ステップ６０５の３つの処理方法の１つ又は複数を行ってもよい。
【００５７】
ここで、端末が該セカンダリセルにおけるアップリンク非適応再送を停止する際に、以下の２つの方法のいずれかを用いてもよい。第１の方法では、端末は全てのアップリンクハイブリッド自動再送要求のフィードバックフラグをそのまま維持し（伝送成功の不ラブ及び伝送失敗のフラグを含む場合がある）、該セカンダリセルにおけるアップリンク非適応再送を停止する。第２の方法では、端末は、該セカンダリセルにおけるアップリンク非適応再送を停止するように、アップリンクハイブリッド自動再送要求のフィードバックフラグを送信成功と設定する。
【００５８】
ステップ６０６：端末が現在のＴＡＧのＴＡ値を受信した後、例えば図２における実施例の方法によりＴＡ値を受信した後、端末は、該セカンダリセルにおけるアップリンク非適応再送を再開する（上記第１の方法に対応する）。
【００５９】
ステップ６０７：端末は、該セカンダリセルにおいて、既知のＴＡ値によりアップリンク通信を正常に行う。
【００６０】
＜実施例６＞
図７は、本発明の実施例に係るＴＡＧの再設定後のアップリンク干渉を回避する方法のフローチャートである。
【００６１】
ステップ７０１：端末は、セカンダリセルの属するＴＡＧを再設定する。
【００６２】
ステップ７０２：端末が該セカンダリセルのＴＡＧの再設定を完了した後、現在のＴＡＧが新しいＴＡＧである場合、該端末は、該セカンダリセルにおけるType-0  SRSの伝送を停止し、及び／又は該セカンダリセルに対応する全てのアップリンクハイブリッド自動再送要求のバッファ（HARQ  buffer）をフラッシュする（flushing）。ここで、該端末は該セカンダリセルのHARQ  bufferをフラッシュすることで、端末はアップリンク非適応再送を行うことができないことになる。
【００６３】
ステップ７０２において、該セカンダリセルが伝送待ちの非周期的なチャネルサウンディング参照信号を有する場合、端末は、該セカンダリセルにおけるType-1  SRSの伝送をキャンセルする。
【００６４】
ステップ７０２の後で、端末が新しいＴＡＧのＴＡ値を受信した後、例えば図２における時間点Ｔ２において、該端末は、該セカンダリセルにおけるType-0  SRSの伝送を再開してもよい。
【００６５】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【００６６】
＜実施例７＞
図８は、本発明の実施例に係るＴＡＧの再設定後のアップリンク干渉を回避する方法の詳細のフローチャートである。
【００６７】
ステップ８０１：セカンダリセルについて、端末のＲＲＣ（Radio  Resource  Control：無線リソース制御）層は、該セカンダリセルに対するＴＡＧの再設定を完了した後、該セカンダリセルの属するＴＡＧのＴＡＧインデックス（TAG  index）及び該ＴＡＧに用いられるタイミングアドバンスタイマー（TAT）をＭＡＣ（Media  Access  Control：メディアアクセス制御）層に通知する。
【００６８】
ステップ８０２：ＭＡＣ層がＲＲＣ層からの該セカンダリセルのＴＡＧ再設定の通知を受信した後で、端末のＭＡＣ層は、該セカンダリセルについて新しいＴＡＧが再設定されたか否かを判断し、再設定されたＴＡＧが端末で維持された１つ又は複数のＴＡＧのうち１つのＴＡＧと同じである、即ち再設定されたＴＡＧが新しいＴＡＧではない場合、ステップ８０５に進み、再設定されたＴＡＧが新しいＴＡＧである場合、ステップ８０３に進む。端末で維持された他のＴＡＧが存在する場合、対応するＴＡ値が既知であるため、端末は、他の端末との干渉が生じることなく、該ＴＡ値によりアップリンク通信を行うことができる。
【００６９】
ステップ８０３：端末は、該セカンダリセルにおけるType-0  SRSの伝送を停止し、該セカンダリセルにおけるType-1  SRSの伝送をキャンセルし、該セカンダリセルに対応する全てのアップリンクHARQ  bufferをフラッシュする。端末は、端末による該セカンダリセルにおいて行われたアップリンク通信に応じて、上記３つの処理方法のうち１つ又は複数を行ってもよい。
【００７０】
ステップ８０４：端末が現在のＴＡＧのＴＡ値を受信した後、例えば図２の実施例の方法によりＴＡ値を受信した後、端末は、該セカンダリセルにおけるType-0  SRSの伝送を再開する。上記再送の再開は、端末による該セカンダリセルにおいて行われたアップリンク通信に応じて決定されてもよい。
【００７１】
ステップ８０５：端末は、該セカンダリセルにおいて、既知のＴＡ値によりアップリンク通信を正常に行う。
【００７２】
＜実施例８＞
図９は、本発明の実施例に係るＴＡＧの再設定後のアップリンク干渉を回避する方法のフローチャートである。
【００７３】
ステップ９０１：端末は、セカンダリセルの属するＴＡＧを再設定する。
【００７４】
ステップ９０２：端末が該セカンダリセルのＴＡＧの再設定を完了した後、現在のＴＡＧが新しいＴＡＧである場合、端末は、該セカンダリセルにおけるType-0  SRSの設定を解除し（releasing）、及び／又は該セカンダリセルに対応する全てのアップリンクHARQ  bufferのバッファをフラッシュする（flushing）。ここで、該セカンダリセルに対応する全てのアップリンクHARQ  bufferをフラッシュすることで、端末はアップリンク非適応再送を行うことができないことになり、端末のType-0  SRSの設定を解除することで、端末はType-0  SRSのアップリンク通信を行うことができないことになる。
【００７５】
ステップ９０２において、該セカンダリセルが伝送待ちの非周期的なチャネルサウンディング参照信号を有する場合、端末は、該セカンダリセルにおけるType-1  SRSの伝送をキャンセルする。
【００７６】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【００７７】
＜実施例９＞
図１０は、本発明の実施例に係るＴＡＧの再設定後のアップリンク干渉を回避する方法の詳細のフローチャートである。
【００７８】
ステップ１００１：セカンダリセルについて、端末のＲＲＣ（Radio  Resource  Control：無線リソース制御）層は、該セカンダリセルに対するＴＡＧの再設定を完了した後、該セカンダリセルの属するＴＡＧのＴＡＧインデックス（TAG  index）及び該ＴＡＧに用いられるタイミングアドバンスタイマー（TAT）をＭＡＣ（Media  Access  Control：メディアアクセス制御）層に通知する。
【００７９】
ステップ１００２：端末のＲＲＣ層は、該セカンダリセルについて新しいＴＡＧが再設定されたか否かを判断し、再設定されたＴＡＧが端末で維持されている１つ又は複数のＴＡＧのうち１つのＴＡＧと同じである、即ち該再設定されたＴＡＧが新しいＴＡＧではない場合、ステップ１００６に進み、再設定されたＴＡＧが新しいＴＡＧである場合、ステップ１００３に進む。
【００８０】
ステップ１００３：端末は、該セカンダリセルにおけるType-0  SRSの設定を解除する。
【００８１】
ステップ１００４：ＭＡＣ層がＲＲＣ層からの該セカンダリセルのＴＡＧ再設定の通知を受信した後、端末のＭＡＣ層は、該セカンダリセルについて新しいＴＡＧが再設定されたか否かを判断し、再設定されたＴＡＧが端末で維持されている１つ又は複数のＴＡＧのうち１つのＴＡＧと同じである場合、ステップ１００６に進み、逆の場合は、ステップ１００５に進む。端末で維持されている他のＴＡＧが存在する場合、対応するＴＡ値が既知であるため、端末は、他の端末との干渉が生じることなく、該ＴＡ値によりアップリンク通信を行うことができる。
【００８２】
ステップ１００５：端末は、該セカンダリセルにおけるType-1  SRSの伝送をキャンセルし、該セカンダリセルに対応する全てのアップリンクHARQ  bufferをフラッシュする。
【００８３】
端末は、該セカンダリセルにおおいて行われたアップリンク通信に応じて、上記ステップ１００３、ステップ１００５の３つの処理方法の１つ又は複数を用いてもよい。
【００８４】
ステップ１００６：端末は、該セカンダリセルにおいて、既知のＴＡ値によりアップリンク通信を正常に行う。
【００８５】
＜実施例１０＞
図１１は、本発明の実施例に係るＴＡＧの再設定後のアップリンク干渉を回避する装置の構成を示す図である。
【００８６】
該装置は、ＴＡＧ再設定部１１０１、判断部１１０２及び実行部１１０３を含む。
【００８７】
ＴＡＧ再設定部１１０１は、セカンダリセルの属するＴＡＧを再設定する。
【００８８】
判断部１１０２は、再設定されたＴＡＧが新しいＴＡＧであるか否かを判断し、新しいＴＡＧである場合、実行部１１０３に通知する。
【００８９】
実行部１１０３は、判断部１１０２により送信された通知に基づいて、端末による該セカンダリセルにおけるType-0  SRSの伝送を停止し、及び／又は該端末による該セカンダリセルにおけるアップリンク非適応再送を停止する。
【００９０】
実行部１１０３は、判断部１１０２により送信された通知に基づいて、該端末による該セカンダリセルにおけるType-1  SRSの伝送をキャンセルする。
【００９１】
該装置は、通知部１１０４をさらに含む。通知部１１０４は、端末が新しいＴＡＧのＴＡ値を受信した後、例えば図２の時間点Ｔ２において、実行部１１０３に通知する。この際に、実行部１１０３は、該端末による該セカンダリセルにおけるType-0  SRSの伝送を再開し、及び／又は該端末による該セカンダリセルにおけるアップリンク非適応再送を再開してもよい。
【００９２】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【００９３】
＜実施例１１＞
図１２は、本発明の実施例に係るＴＡＧの再設定後のアップリンク干渉を回避する装置の構成を示す図である。
【００９４】
該装置は、ＴＡＧ再設定部１２０１、判断部１２０２及び実行部１２０３を含む。
【００９５】
ＴＡＧ再設定部１２０１は、セカンダリセルの属するＴＡＧを再設定する。
【００９６】
判断部１２０２は、再設定されたＴＡＧが新しいＴＡＧであるか否かを判断し、新しいＴＡＧである場合、実行部１２０３に通知する。
【００９７】
実行部１２０３は、判断部１２０２により送信された通知に基づいて、該端末による該セカンダリセルにおけるType-0  SRSの設定を解除し（releasing）、及び／又は該端末による該セカンダリセルにおけるアップリンク非適応再送を停止する。
【００９８】
実行部１２０３は、判断部１２０２により送信された通知に基づいて、該端末による該セカンダリセルにおけるType-1  SRSの伝送をキャンセルする。
【００９９】
実行部１２０３が全てのアップリンクハイブリッド自動再送要求のフィードバックフラグをそのまま維持し、該端末による該セカンダリセルにおけるアップリンク非適応再送を停止する場合、該装置は、通知部１２０４をさらに含む。通知部１２０４は、該端末が該新しいＴＡＧのＴＡ値を受信した後、実行部１２０３に該セカンダリセルにおけるアップリンク非適応再送を再開させるように通知する。
【０１００】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【０１０１】
＜実施例１２＞
図１３は、本発明の実施例に係るＴＡＧの再設定後のアップリンク干渉を回避する装置の構成を示す図である。
【０１０２】
該装置は、ＴＡＧ再設定部１３０１、判断部１３０２及び実行部１３０３を含む。
【０１０３】
ＴＡＧ再設定部１３０１は、セカンダリセルの属するＴＡＧを再設定する。
【０１０４】
判断部１３０２は、再設定されたＴＡＧが新しいＴＡＧであるか否かを判断し、新しいＴＡＧである場合、実行部１３０３に通知する。
【０１０５】
実行部１３０３は、判断部１３０２により送信された通知に基づいて、該端末による該セカンダリセルにおけるType-0  SRSの伝送を停止し、及び／又は該端末の該セカンダリセルに対応する全てのアップリンクHARQ  bufferをフラッシュする（flushing）。
【０１０６】
実行部１３０３は、判断部１３０２により送信された通知に基づいて、該端末による該セカンダリセルにおけるType-1  SRSの伝送をキャンセルする。
【０１０７】
該装置は、通知部１３０４をさらに含む。通知部１３０４は、該端末が該新しいＴＡＧのＴＡ値を受信した後、実行部１３０３に該セカンダリセルにおけるType-0  SRSの伝送を再開させるように通知する。
【０１０８】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【０１０９】
＜実施例１３＞
図１４は、本発明の実施例に係るＴＡＧの再設定後のアップリンク干渉を回避する装置の構成を示す図である。
【０１１０】
該装置は、ＴＡＧ再設定部１４０１、判断部１４０２及び実行部１４０３を含む。
【０１１１】
ＴＡＧ再設定部１４０１は、セカンダリセルの属するＴＡＧを再設定する。
【０１１２】
判断部１４０２は、再設定されたＴＡＧが新しいＴＡＧであるか否かを判断し、新しいＴＡＧである場合、実行部１４０３に通知する。
【０１１３】
実行部１４０３は、判断部１４０２により送信された通知に基づいて、該端末による該セカンダリセルにおけるType-0  SRSの設定を解除し（releasing）、及び／又は該端末の該セカンダリセルに対応する全てのアップリンクHARQ  bufferをフラッシュする（flushing）。
【０１１４】
実行部１４０３は、判断部１４０２により送信された通知に基づいて、該端末による該セカンダリセルにおけるType-1  SRSの伝送をキャンセルする。
【０１１５】
本発明の実施例によれば、端末がＴＡＧ再設定を行った後でＴＡ値を更新していない場合、古いＴＡ値を用いて新しいＴＡＧにおけるアクセスポイントと通信を行うことによる他の端末との干渉を回避でき、特に端末がセカンダリセルにおいて間違っているＴＡ値に基づいてアップリンク信号を送信することによる他の端末との相互干渉を回避できる。
【０１１６】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１１７】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0005862796.tif 000002
【図２】
0005862796.tif 000003
【図３】
0005862796.tif 000004
【図４】
0005862796.tif 000005
【図５】
0005862796.tif 000006
【図６】
0005862796.tif 000007
【図７】
0005862796.tif 000008
【図８】
0005862796.tif 000009
【図９】
0005862796.tif 000010
【図１０】
0005862796.tif 000011
【図１１】
0005862796.tif 000012
【図１２】
0005862796.tif 000013
【図１３】
0005862796.tif 000014
【図１４】
0005862796.tif 000015